(57)【要約】【課題】確実にレンズ鏡胴を収納して保護することの可能な撮像装置を提供する。【解決手段】異常検知センサ６２により、収納異常が検知されると、異常検知センサ６２から制御部６０へ異常検知信号が出力される。異常検知信号が入力されると、制御部６０はプランジャ４０に作動信号を出力し、作動信号を受けたプランジャ４０は作動される。これにより、通常時はコイルバネ４６によりＸ方向に付勢されているシャフト移動板４２が、付勢力に抗して固定軸４４を中心にＹ方向へ回動して、離間位置４２Ｂへ移動される。シャフト移動板４２が離間位置４２Ａへ移動されると、ギアシャフト３４、及びギア３３もシャフト移動板４２と共にＹ方向へ回動し、ギア３３が解除位置３３Ｂに移動されてギア３３とギア筒２４とが離れる。この状態において、レンズ鏡胴１４は、駆動モータ３０と切り離され、自由に回転可能となる。【選択図】　図５
2004126322.tif 000002
【特許請求の範囲】
【請求項１】
レンズ鏡胴が所定位置に収納された収納位置とこの収納位置よりも突出した撮像位置との間を移動可能な撮像装置であって、
前記レンズ鏡胴に結合され、駆動力を前記レンズ鏡胴へ伝達して、前記レンズ鏡胴を前記収納位置と前記撮像位置との間で移動させる駆動手段と、
前記駆動力の前記レンズ鏡胴への伝達を解除可能な駆動力伝達解除手段と、
を備えた撮像装置。
【請求項２】
前記駆動手段は、駆動力を供給する駆動力供給手段と、この駆動力供給手段及び前記レンズ鏡胴に結合され前記駆動力供給手段からの駆動力を前記レンズ鏡胴へ伝達する伝達手段とを含んで構成され、
前記駆動力伝達解除手段は、前記駆動力供給手段と前記伝達手段との結合、及び前記伝達手段と前記レンズ鏡胴との結合の少なくとも一方を解除することにより前記駆動力の前記レンズ鏡胴への伝達を解除することを特徴とする請求項１に記載の撮像装置。
【請求項３】
前記駆動手段の異常を検知する検知手段と、
前記検知手段により前記駆動手段の異常が検知された場合に、前記駆動力の前記レンズ鏡胴への伝達が解除されるように前記駆動力伝達解除手段を制御する制御手段と、
をさらに備えたことを特徴とする、請求項１または請求項２に記載の撮像装置。
【請求項４】
前記駆動力伝達解除手段による前記レンズ鏡胴への前記駆動力の伝達の解除は、手動操作可能であることを特徴とする請求項１乃至請求項３の何れか１項に記載の撮像装置。
【発明の詳細な説明】
【０００１】
【発明の属する技術分野】
本発明は、撮像装置に係り、特に、駆動力によりレンズ鏡胴が所定位置に収納された収納位置とこの収納位置よりも突出した撮像位置との間を移動可能な撮像装置に関する。
【０００２】
【従来の技術】
近年、レンズ鏡胴がカメラの前方へ繰り出されて撮像ポジションに移動する形式のカメラが数多く開発されている。レンズ鏡胴の強度は他の筐体部分と比較して低く、高倍率のためにレンズ鏡胴の繰り出し量が多くなっている場合や、カメラのコンパクト化によりレンズ鏡胴自体もコンパクトに設計されている場合には、特にその保護の必要性が高い。そこでこのようなカメラでは、撮影終了後に、駆動モータなどの駆動力を用いて自動的にレンズ鏡胴をカメラの筐体内に収納して、レンズ鏡胴の保護がなされているのが一般的である（例えば、特許文献１参照）。
【０００３】
しかしながら、駆動モータや駆動モータを制御する制御系に異常が生じた場合には、レンズ鏡胴を収納することができなくなる。例えば、特許文献１においては、カメラが故障した場合にカメラ動作を禁止状態にする技術が提案されているが、レンズ鏡胴が繰り出されたままの状態でカメラ動作が禁止されると、レンズ鏡胴が沈胴位置へ移動されず、レンズ鏡胴を保護することができなくなる。その結果、レンズ鏡胴が繰り出されたままの状態でカメラを修理店まで搬送しなければならないという問題があった。
【０００４】
【特許文献１】
特開平７−４３５８９号公報
【０００５】
【発明が解決しようとする課題】
本発明は、上記事実を考慮して成されたものであり、確実にレンズ鏡胴を収納して保護することの可能な撮像装置を提供することを目的とする。
【０００６】
【課題を解決するための手段】
上記目的を達成するために、本発明の撮像装置は、レンズ鏡胴が所定位置に収納された収納位置とこの収納位置よりも突出した撮像位置との間を移動可能な撮像装置であって、前記レンズ鏡胴に結合され、駆動力を前記レンズ鏡胴へ伝達して、前記レンズ鏡胴を前記収納位置と前記撮像位置との間で移動させる駆動手段と、前記駆動力の前記レンズ鏡胴への伝達を解除可能な駆動力伝達解除手段と、を含んで構成されている。
【０００７】
上記撮像装置では、通常、駆動手段により駆動力が伝達されることにより、レンズ鏡胴が収納位置と撮像位置との間で移動される。本発明では、駆動力伝達解除手段により、レンズ鏡胴への駆動力の伝達が解除可能とされている。駆動手段からのレンズ鏡胴への駆動力の伝達が解除されると、レンズ鏡胴は駆動手段とは無関係に収納位置と撮像位置との間を移動可能になる。したがって、駆動手段からの駆動力でレンズ鏡胴を移動させることができない場合でも、手動でレンズ鏡胴を収納位置へ移動させることができ、確実にレンズ鏡胴を保護することができる。
【０００８】
なお、本発明の撮像装置は、請求項２に記載のように、前記駆動手段は、駆動力を供給する駆動力供給手段と、この駆動力供給手段に結合されこの駆動力供給手段からの駆動力を前記レンズ鏡胴へ伝達する伝達手段とを含んで構成され、　前記駆動力伝達解除手段は、前記駆動力供給手段と前記伝達手段との結合、及び前記伝達手段と前記レンズ鏡胴との結合の少なくとも一方をを解除することにより前記駆動力の前記レンズ鏡胴への伝達を解除することを特徴とすることもできる。
【０００９】
上記構成によれば、駆動力伝達解除手段による駆動力の伝達の解除は、駆動力供給手段と伝達手段との結合、及び、伝達手段とレンズ鏡胴との結合の少なくとも一方を解除することにより行うことができる。
【００１０】
本発明の撮像装置は、請求項３に記載のように、前記駆動手段の異常を検知する検知手段と、前記検知手段により前記駆動手段の異常が検知された場合に、前記駆動力の前記レンズ鏡胴への伝達が解除されるように前記駆動力伝達解除手段を制御する制御手段と、をさらに備えたことを特徴とすることもできる。
【００１１】
ここで、駆動手段の異常とは、駆動手段からの駆動力でレンズ鏡胴を収納位置へ移動できない状態をいう。
【００１２】
上記構成によれば、検知手段が駆動手段の異常を検知すると、制御手段によりレンズ鏡胴への駆動力の伝達が解除されるように駆動力伝達解除手段が制御される。したがって、駆動手段に異常が発生した場合に、自動的にレンズ鏡胴への駆動力の伝達を解除することができる。
【００１３】
本発明の撮像装置は、請求項４に記載のように、前記駆動力伝達解除手段による前記駆動力の前記レンズ鏡胴への伝達の解除は、手動操作可能であることを特徴とすることもできる。
【００１４】
上記構成によれば、手動操作によりレンズ鏡胴への駆動力の伝達を解除することができるので、より確実に駆動力の伝達を解除することができる。
【００１５】
【発明の実施の形態】
［第１実施形態］
以下、図面を参照して本実施形態の撮像装置について説明する。
【００１６】
図１及び図２に示すように、本実施形態のカメラ１０は、筐体１２、レンズ鏡胴１４を備える。筐体１２の上側面には、電源ボタン１６及びシャッタボタン１８が配置されている。レンズ鏡胴１４は、移動筒２０、回転筒２２、及びギア筒２４（図３参照）を含んで構成されている。
【００１７】
図３に示すように、筐体１２の内部には、駆動モータ３０、ギア３２Ａ、３２Ｂ、３２Ｃ、３２Ｄ、３２Ｅ、３３、及びギアシャフト３４が備えられている。駆動モータ３０は駆動力供給手段を構成し、ギア３２Ａ、３２Ｂ、３２Ｃ、３２Ｄ、３２Ｅ、ギア３３、ギアシャフト３４は伝達手段を構成している。駆動モータ３０は、ギア部３０Ａを備え、ギア部３０Ａ、ギア３２Ａ、３２Ｂ、３２Ｃ、３２Ｄ、３２Ｅ（これらのギアをまとめて「ギア３２」という）、が噛み合わされている。ギア３２Ｅ及びギア３３には、共通のギアシャフト３４が挿通されており、ギア３２Ｅの回転と共にギア３３が回転可能とされている。ギア３３はギア筒２４と噛み合わされている。上記構成により、駆動モータ３０の駆動力がレンズ鏡胴１４に伝達される。この駆動力により、ギア筒２４と共に回転筒２２が回転し、移動筒２０が筐体１２から繰り出されまたは筐体１２へ納められて、レンズ鏡胴１４が、筐体１２の内部に収納された収納位置１４Ａ（図１参照）と、筐体１２から突出した撮影位置１４Ｂ（図２参照）との間を移動可能とされている。なお、撮影位置１４Ｂとは、カメラ１０での撮影が可能とされる状態のレンズ鏡胴１４の位置であり、例えばズームレンズでは、ズーミングによる移動範囲のすべての位置をいう。
【００１８】
筐体１２の内部には、筐体１２に固定された固定軸４４が備えられている。固定軸４４には長尺のシャフト移動板４２が取り付けられ、シャフト移動板４２は固定軸４４の周りを回転可能とされている。シャフト移動板４２の固定軸４４に取り付けられた側と逆側には、取付孔４２Ａが穿孔され、取付孔４２Ａにギアシャフト３４が挿通されている。固定軸４４にはコイルバネ４６が巻きかけられ、コイルバネ４６の両端は２つのバネ固定部材４８Ａ、４８Ｂの内側で固定されている。バネ固定部材４８Ａはシャフト移動板４２上に取付られ、バネ固定部材４８Ｂは筐体１２に固定されている。コイルバネ４６により、シャフト移動板４２は、図４に示すようにギア部２４に近づく方向（以下「Ｘ方向」という）に付勢されている。通常時、シャフト移動板４２はコイルバネ４６の付勢力によりギア筒２４と接近する接近位置４２Ａに位置し、ギア３３はギア筒２４と噛み合わされた噛合位置３３Ａ（図５参照）に位置している。
【００１９】
シャフト移動板４２の近傍には、駆動力伝達解除手段としてのプランジャ４０が配置されている。プランジャ４０は、２枚の円形板が共通の軸部材で接続された作用部４０Ａを備える。シャフト移動板４２の長手方向の中央部分は、作用部４０Ａの２枚の板の間に挟み込まれている。上記構成により、シャフト移動板４２は、プランジャ４０がオンされて作用部４０Ａがプランジャ４０側に移動されることにより、固定軸４４を中心として回動し、ギア部２４と離れる方向（以下「Ｙ方向」という）に移動可能とされている。Ｙ方向へ移動した後のシャフト移動板４２はギア筒２４と離れる離間位置４２Ｂに位置し、ギア３３はギア筒２４と離れる解除位置３３Ｂに位置する（図５参照）。
【００２０】
図６は、レンズ鏡胴１４の動作制御についての概略ブロック図である。
【００２１】
制御部６０は、駆動モータ３０、電源スイッチ１６、異常検知センサ６２、及び、プランジャ４０、と接続されている。ユーザーは、電源スイッチ１６からカメラ１０の電源のオン／オフを入力可能とされている。異常検知センサ６２は、レンズ鏡胴１４の位置、及び、レンズ鏡胴１４が収納位置１４Ａへ移動しないという異常（以下「収納異常」という）を検知可能とされている。
【００２２】
電源スイッチ１６からのオン／オフ指示により、制御部６０が駆動モータ３０へ駆動信号を出力する。これにより駆動モータ３０が回転駆動して、ギア３２、ギアシャフト３４、及びギア３３を介して駆動力がレンズ鏡胴１４へ伝達可能とされている。
【００２３】
また、制御部６０は、異常検知センサ６２からの収納異常を検知した旨の異常検知信号入力により、プランジャ４０へ作動信号を出力する。これによりプランジャ４０が作動して、シャフト移動板４２が固定軸４４を中心に回動してＹ方向へ移動され、ギアシャフト３４と共にギア３３がレンズ鏡胴１４から離れ、駆動モータ３０からレンズ鏡胴への駆動力の伝達が解除される。
【００２４】
さらに、制御部６０は、異常検知信号入力後、異常検知センサ６２からのレンズ鏡胴１４が収納位置１４Ａへ移動した旨の移動完了信号入力により、プランジャ４０へ作動停止信号を出力する。これによりプランジャ４０の作動が停止されて、シャフト移動板４２が固定軸４４を中心に作動信号の際と逆方向へ回動してＹ方向へ移動され、ギアシャフト３４と共にギア３３がギア筒２４と噛み合わされ、駆動モータ３０からレンズ鏡胴への駆動力の伝達可能な状態とされる。
【００２５】
次に本実施形態の作用について説明する。
【００２６】
通常時、電源スイッチ１６から、カメラ１０の電源のオンが指示されると、制御部６０へオン信号が出力され、制御部６０は、このオン信号の入力により駆動モータ３０へ駆動信号を出力する。これにより、駆動モータ３０が回転駆動をし、駆動力がギア３２、ギアシャフト３４、及びギア３３を介してレンズ鏡胴１４へ伝達される。これによりレンズ鏡胴１４は、回転しながら収納位置１４Ａから撮影位置１４Ｂへ移動される（図２参照）。電源スイッチ１６から、カメラ１０の電源のオフが指示されると、制御部６０へオフ信号が出力され、制御部６０は、このオフ信号の入力により駆動モータ３０へ駆動信号を出力する。これにより、駆動モータ３０がオン信号の際と逆の回転駆動し、駆動力がギア３２、ギアシャフト３４、及びギア３３を介してレンズ鏡胴１４へ伝達される。これによりレンズ鏡胴１４は、回転しながら撮影位置１４Ｂから収納位置１４Ａへ移動される（図１参照）。
【００２７】
レンズ鏡筒１４が撮影位置１４Ｂに位置している状態で、異常検知センサ６２により、収納異常が検知されると、異常検知センサ６２から制御部６０へ異常検知信号が出力される。異常検知信号が入力されると、制御部６０はプランジャ４０に作動信号を出力し、作動信号を受けたプランジャ４０は作動される。これにより、通常時はコイルバネ４６によりＸ方向に付勢されているシャフト移動板４２が、付勢力に抗して固定軸４４を中心にＹ方向へ回動して、離間位置４２Ｂへ移動される。シャフト移動板４２が離間位置４２Ａへ移動されると、ギアシャフト３４、及びギア３３もシャフト移動板４２と共にＹ方向へ回動し、ギア３３が解除位置３３Ｂに移動されてギア３３とギア筒２４とが離れる。この状態において、レンズ鏡胴１４は、駆動モータ３０と切り離され、自由に回転可能となる。したがって、ユーザーは、レンズ鏡胴１４を手動で回転させて、確実に収納位置１４Ａへ移動させることができる。この移動により、異常検知センサ６２から制御部６０へ移動完了信号が出力され、移動完了信号を受けた制御部６０からプランジャ４０へ作動停止信号が出力される。これにより、プランジャ４０の作動が停止され、シャフト移動板４２がＸ方向へ移動され、ギア３３が噛合位置３３Ａへ移動される。その結果、ギア３３とギア筒２４とが噛み合わせられるので、レンズ鏡胴１４は、収納位置１４Ａに固定され、レンズ鏡胴１４が不用意に撮影位置１４Ｂに移動するのを防止することができる。
【００２８】
本実施形態によれば、手動でレンズ鏡胴１４を収納位置１４Ａへ移動させることができ、確実にレンズ鏡胴１４を保護することができる。
【００２９】
なお、本実施形態では、駆動力伝達解除手段としてプランジャ４０を用いたが、その他のもの、例えば、メータやモータを用いてシャフト移動板４２を離間位置４２Ｂへ移動させることもできる。
【００３０】
また、本実施の形態では、ギア筒２４とギア３３との噛み合わせを解除して、駆動モータ３０からレンズ鏡胴１４への駆動力の伝達を解除したが、噛み合っている、ギア部３０Ａ、ギア３２Ａ、３２Ｂ、３２Ｃ、３２Ｄ、３２Ｅの何れか１箇所の噛み合わせを解除することにより駆動モータ３０からレンズ鏡胴１４への駆動力の伝達を解除することもできる。
［第２実施形態］
次に、第２実施形態について説明する。本実施形態のカメラの外観は第１実施形態と同様であるため、適宜図１、２を参照して説明する。また、本実施形態では、その他の部分で第１実施形態と同様の部分については同一の符号を付して詳細な説明は省略する。
【００３１】
図７に示すように、本実施形態のカメラは、シャフト移動部材７０及び操作部材８０を備える。シャフト移動部材７０は、ギアシャフト３４側のアーム部７２、操作部材８０側の接続部７４、及び、アーム部７２と接続部７６との間の軸受け部７６により一体的に構成されている。アーム部７２は、ギア３２Ｅとギア３３との間の各々のギアの近傍２箇所でギアシャフト３４に取り付けられている。軸受け部７６には、ギアシャフト３４と平行な方向に固定軸７８が挿通され、シャフト移動部材７０が固定軸７８を中心として回転可能とされている。接続部７４には、操作部材８０側に、溝部７４Ａが形成されている。
【００３２】
操作部材８０は、スライド棒８２、スライド板８４、及び、スライド操作部８６により構成されている。スライド棒８２は溝部７４Ａに挿通され、一端がスライド板８４に固定されている。スライド板８４はスライド操作部８６に接着されている。スライド操作部８６は、筐体１２の外部に配置され、図示しないガイドに沿って、手動によりＨ方向にスライド可能とされている。スライド操作部８６は、通常は、ギア３３がギア筒２４と噛み合う状態とされる位置に位置している（このときのギア３３の位置を「噛合位置３３Ａ」といい、スライド操作部８６の位置を「接近位置８６Ａ」という）。スライド操作部８６がＨ１方向にスライドされることにより、スライド棒８２も同方向に移動し、これによりシャフト移動部材７０が固定軸８２を中心にＫ１方向に回動して、ギア３３がギア筒２４と離れる位置（このときのギア３３の位置を「解除位置３３Ｂ」といい、スライド操作部８６の位置を「離間位置８６Ａ」という）へ移動可能とされている。また、スライド操作部８６がＨ２方向にスライド移動されることにより、スライド棒８２も同方向に移動し、これによりシャフト移動部材７０が固定軸８２を中心にＫ２方向に回動して、ギア３３が噛合位置３３Ａへ移動可能とされている。
【００３３】
なお、本実施形態のカメラは、異常検知センサ６２、プランジャ４０、シャフト移動板４２、固定軸４４、コイルバネ４６、及びバネ固定部材４８を備えていない。
【００３４】
次に、本実施形態の作用について説明する。
【００３５】
通常時のレンズ鏡胴１４の動作については、第１実施形態と同様である。
レンズ鏡胴１４が撮影位置１４Ｂに位置している状態で、閉鎖異常によりレンズ鏡胴１４が自動的に収納位置１４Ｂに移動されない場合には、ユーザーは、図８に示すように、スライド操作部８６をＨ１方向へスライドさせて、スライド操作部８６を接近位置８６Ａから離間位置８６Ｂへ移動させる。スライド操作部８６が離間位置８６Ｂへ移動されると、シャフト移動部材７０が固定軸７８を中心にしてＫ１方向へ回動し、ギア３３はギア筒２４から離れた解除位置３３Ｂへ移動される（図８、９参照）。これにより、レンズ鏡胴１４は、駆動モータ３０の駆動力と切り離され、自由に回転可能となる。したがって、ユーザーは、レンズ鏡胴１４を手動で回転させて、確実に収納位置１４Ａへ移動させることができる。
【００３６】
その後、ユーザーは、スライド操作部８６を離間位置８６Ｂから接近位置８６Ａへスライドさせて、ギア３３を解除位置３３Ｂから噛合位置３３Ａへ移動させる。これにより、ギア筒２４とギア３３が噛み合わせられ、レンズ鏡胴１４が固定され、レンズ鏡胴１４が不用意に撮影位置１４Ｂに移動するのを防止することができる。
【００３７】
本実施の形態によれば、第１実施形態と同様に、手動でレンズ鏡胴１４を収納位置１４Ａへ移動させることができ、確実にレンズ鏡胴１４を保護することができる。さらに、手動により駆動モータ３０からの駆動力の伝達を解除するので、何らかの異常により、電気的に駆動力伝達解除手段（第１実施形態ではプランジャ４０）を作動させることができない場合にも、確実に駆動力の伝達を解除することができる。
【００３８】
【発明の効果】
以上説明したように、本発明の撮像装置によれば、駆動力伝達解除手段により、駆動手段からレンズ鏡胴への駆動力の伝達が解除されると、レンズ鏡胴は駆動手段とは無関係に収納位置と撮像位置との間を移動可能になる。したがって、駆動手段からの駆動力でレンズ鏡胴を移動させることができない場合でも、手動でレンズ鏡胴を収納位置へ移動させて、確実にレンズ鏡胴の保護を行うことができる。
【図面の簡単な説明】
【図１】第１、第２実施形態のレンズ鏡胴１４が収納位置に収納されたカメラの概略斜視図である。
【図２】第１、第２実施形態のレンズ鏡胴１４が撮像位置に配置されたカメラの概略斜視図である。
【図３】第１実施形態のレンズ鏡胴の駆動系の概略図である。
【図４】第１実施形態のレンズ鏡胴への駆動力伝達解除機構を説明する図である。
【図５】第１実施形態でレンズ鏡胴からギアが離れた状態を示す図である。
【図６】第１実施形態のレンズ鏡胴の制御に係る概略ブロック図である。
【図７】第２実施形態のレンズ鏡胴の駆動系の概略図である。
【図８】第２実施形態のレンズ鏡胴への駆動力伝達解除機構を説明する図である。
【図９】第２実施形態でレンズ鏡胴からギアが離れた状態を示す図である。
【符号の説明】
１０　　カメラ（撮像装置）
１４　　レンズ鏡胴
３０　　駆動モータ（駆動手段、駆動力供給手段）
３２、３３　ギア（駆動手段、伝達手段）
４０　　プランジャ（駆動力解除手段）
４２　　シャフト移動板（駆動力解除手段）
６０　　制御部（制御手段）
６２　　異常検知センサ（検知手段）
７０　　シャフト移動部材（駆動力解除手段）
８０　　操作部材（駆動力解除手段）
【図１】
2004126322.tif 000003
【図２】
2004126322.tif 000004
【図３】
2004126322.tif 000005
【図４】
2004126322.tif 000006
【図５】
2004126322.tif 000007
【図６】
2004126322.tif 000008
【図７】
2004126322.tif 000009
【図８】
2004126322.tif 000010
【図９】
2004126322.tif 000011